(57)【要約】【課題】寝具を回転フレームの内周に沿ってセットして、回転フレームを回転させながら寝具の洗浄や乾燥を行なうにあたって、オゾン殺菌を行なうことができる寝具の洗浄装置を提供する。【解決手段】軸周りに回転駆動される筒かご状に形成され、内周に沿って出し入れ自在に寝具１がセットされる回転フレーム２を洗浄槽３内に配置して設けた寝具の洗浄装置に関する。回転フレーム２を回転駆動しながら回転フレーム２の内側から寝具１に洗浄水を供給して寝具１を洗浄する洗浄手段。洗浄後に回転フレーム２を回転駆動して寝具１を脱水する脱水手段。回転フレーム２を回転駆動しながらオゾンを洗浄槽３内に供給して寝具１をオゾン殺菌するオゾン供給手段。寝具１をオゾン殺菌した後に、回転フレーム２を回転駆動しながら温風を寝具１に吹き当てて寝具１を乾燥する乾燥手段。これらの各手段を具備して、寝具１を洗浄、脱水、オゾン殺菌、乾燥することができる。【選択図】図１
2008036413.tif 000002
【特許請求の範囲】
【請求項１】
軸周りに回転駆動される筒かご状に形成され、内周に沿って出し入れ自在に寝具がセットされる回転フレームを洗浄槽内に配置して設けた寝具の洗浄装置において、回転フレームを回転駆動しながら回転フレームの内側から寝具に洗浄水を供給して寝具を洗浄する洗浄手段と、寝具を洗浄した後に回転フレームを回転駆動して寝具を脱水する脱水手段と、回転フレームを回転駆動しながらオゾンを洗浄槽内に供給して寝具をオゾン殺菌するオゾン供給手段と、寝具をオゾン殺菌した後に、回転フレームを回転駆動しながら温風を寝具に吹き当てて寝具を乾燥する乾燥手段と、を具備して成ることを特徴とする寝具の洗浄装置。
【請求項２】
脱水手段で寝具を脱水する工程の途中から、オゾン供給手段によってオゾンの供給を開始するようにして成ることを特徴とする請求項１に記載の寝具の洗浄装置。
【請求項３】
回転フレームの中心にパイプ状の支持軸を配置して設けると共に回転フレームを支持軸の周りに回転自在に取り付け、支持軸内を仕切って洗浄水供給路と温風供給路を形成し、洗浄水供給路を通して洗浄水を洗浄水供給手段で寝具に供給すると共に、温風供給路を通して温風を乾燥手段で寝具に供給するようにして成ることを特徴とする請求項１又は２に記載の寝具の洗浄装置。
【請求項４】
オゾンを洗浄槽内に供給するオゾン供給手段のオゾン吹出し口に、オゾンを洗浄槽内に供給している間、オゾン吹出し口を開くと共に、洗浄手段が作動している間及び乾燥手段が作動している間、オゾン吹出し口を閉じる開閉シャッターを設けて成ることを特徴とする請求項１乃至３のいずれか１項に記載の寝具の洗浄装置。
【請求項５】
洗浄槽に排気ダクトを設け、乾燥手段が作動している間、作動する換気ファンを排気ダクトに設けて成ることを特徴とする請求項１乃至４のいずれか１項に記載の寝具の洗浄装置。
【請求項６】
洗浄槽内のオゾン濃度を測定する手段を具備して成ることを特徴とする請求項１乃至５のいずれか１項に記載の寝具の洗浄装置。
【請求項７】
オゾン濃度を測定する手段を、洗浄槽内の空気を吸気口から吸気してオゾン濃度を自動測定した後に洗浄槽内に空気を排気口から返送して排気するオゾン濃度測定器で形成し、オゾン供給手段が作動している間、開くと共に、それ以外は閉じる、吸気弁を吸気口に、排気弁を排気口にそれぞれ備えて成ることを特徴とする請求項６に記載の寝具の洗浄装置。
【請求項８】
洗浄槽へのオゾンの供給状況を報知する表示機を具備して成ることを特徴とする請求項１乃至７のいずれか１項に記載の寝具の洗浄装置。
【請求項９】
軸周りに回転駆動される筒かご状に形成された回転フレームを洗浄槽内に配置して設け、回転フレームの内周に沿って出し入れ自在に寝具をセットして、回転フレームを回転駆動しながら回転フレームの内側から寝具に洗浄水を供給して寝具を洗浄し、寝具を洗浄した後に、回転フレームを回転駆動することによって寝具の脱水を行ない、次に回転フレームを回転駆動しながらオゾンを洗浄槽内に供給して寝具をオゾン殺菌し、寝具をオゾン殺菌した後に、回転フレームを回転駆動しながら温風を寝具に吹き当てて寝具を乾燥することを特徴とする寝具の洗浄方法。
【請求項１０】
回転フレームを回転駆動して寝具を脱水する工程の途中から、オゾンを洗浄槽内に供給して寝具のオゾン殺菌をすることを特徴とする請求項９に記載の寝具の洗浄方法。
【請求項１１】
脱水の工程での回転フレームの回転速度を、オゾンを洗浄槽内に供給する際に高めることを特徴とする請求項１０に記載の寝具の洗浄方法。
【請求項１２】
オゾンを洗浄槽内に供給して寝具をオゾン殺菌した後、温風を寝具に吹き当てて寝具を乾燥するにあたって、洗浄槽内へのオゾンの供給を停止すると共に温風を寝具に吹き当て始めてから、所定時間経過した後、洗浄槽に設けた排気ダクトの換気ファンを作動させることを特徴とする請求項９乃至１１のいずれか１項に記載の寝具の洗浄方法。
【発明の詳細な説明】
【技術分野】
【０００１】
本発明は、マットレスなどの寝具を洗浄する、寝具の洗浄装置及び洗浄方法に関するものである。
【背景技術】
【０００２】
病院や介護センターなどにおいて、ベッドの寝具を丸洗いして洗浄する要望が高まっている。そこでマットレスのような大型の寝具を洗浄する洗浄装置が提供されているが、マットレスのような大型の寝具を丸洗いすることは難しいために、種々の工夫がなされている。
【０００３】
例えば図１５の方法では、まず洗浄機内で、図１５（ａ）のように、寝具１に洗浄水を供給しながら矢印のように寝具１の上下から圧力を加えて押し洗いし、次に寝具１を脱水機に移して、図１５（ｂ）のように、寝具１の中央をクランプ具２７で挟んで、クランプ具２７を中心に寝具１を矢印のように回転させることによって、遠心脱水し、この後に、寝具１を乾燥機に移して、加熱乾燥するようにしている。
【０００４】
また図１６の方法では、まず洗浄機内で、図１６（ａ）のように、円筒状の回転かご２９内に寝具１を折りたたんで入れ、回転かご２９を回転させながら洗浄水を供給することによって洗浄を行ない、洗浄が終了した後に回転かご２９を高速回転させることによって、脱水した後、図１６（ｂ）のように、寝具１を乾燥機３０に移して、通気板３１の上に複数枚の寝具１を重ねて載置し、矢印のように上から下へと加熱空気を供給することによって、加熱乾燥するようにしている。
【０００５】
しかし図１５の方法では、洗浄に多量の水が必要であり、また寝具１を洗浄機から脱水機へ、さらに乾燥機へと移す必要があるため、洗浄から脱水までを自動化することが難しいという問題があった。またクランプ具２７で寝具１を回転させて遠心脱水する際に、寝具１に剪断力が作用して寝具１の痛みが激しく、さらに回転中心となる寝具１の中心部は脱水が不十分になるという問題があった。
【０００６】
また、図１６の方法では、洗浄に多量の水が必要であり、また寝具１を折りたたんで回転かご２９の中に入れるために、特にマットレスの場合は折り曲げる部分に破損が生じ易いという問題があった。また乾燥機３０内では複数枚の寝具１を重ねて乾燥するために、中央に位置する寝具１や底側に位置する寝具１の乾燥効率が悪いという問題があり、さらに、脱水機は必要でなくなるものの、寝具１を洗浄機から乾燥機へと移す必要があるため、上記の場合と同様に自動化することが難しいという問題があった。
【０００７】
一方、図１７に示すものは、洗浄から乾燥までを連続的に行なうことができるようにしたものであり、駆動モータ２１で回転駆動される筒かご状の回転フレーム２２が洗浄槽（図示省略）内に設置してあり、この回転フレーム２２の内周に沿わせて寝具１をセットするようにしてある。回転フレーム２２の中心内に通した軸管２３に洗浄水タンク２４が接続してあり、また洗浄槽内において回転フレーム２２の近傍に熱風発生器２５が設置してある（特許文献１参照）。
【０００８】
そしてこのものにあって、マットレス等の寝具１を内周にセットした回転フレーム２２を回転駆動しながら、洗浄水タンク２４から軸管２３に洗浄水を供給し、軸管２３に設けた散水孔２６から洗浄水を吐出させることによって、寝具１の内側に洗浄水を供給して、洗浄を行なうことができるものである。このとき、回転フレーム２２の回転による遠心力で、洗浄水は寝具１の内側から外側へと寝具１の内部を良好に浸透するために、少ない水量で洗浄を行なうことができるものであり、上記の図１５や図１６の場合のような洗浄に多量の水を必要とするという問題を解消することができるものである。また寝具１は回転フレーム２２の内周に沿ってセットされており、折りたたむような必要がないので、図１６の場合のような折り曲げ部分の破損の問題も解消することができるものである。
【０００９】
次に、洗浄が終わった後、回転フレーム２２を高速回転することによって、寝具１中に浸透した洗浄水を遠心脱水した後、熱風発生器２５から熱風を発生させることによって、熱風で寝具１を加熱して乾燥するものである。このように回転フレーム２２を高速回転して脱水するにあたって、寝具１は回転フレーム２２の内周に沿わせた状態に保持されているため、遠心力は寝具１の全体に均一に作用し、寝具１に痛みが発生することなく均一に脱水することができ、図１５の場合のような問題を解消することができるものである。また乾燥の際にも寝具１を重ねる必要がないので、乾燥を効率良く行なうことができ、図１６のような問題もないものである。さらに、回転フレーム２２内に寝具１をセットして回転させながら、洗浄、脱水、乾燥を連続して行なうことができるので、寝具１の移し変えの手間が不要になると共に、運転を自動化することが可能になるものである。
【特許文献１】特開２００２−１９１８９４号公報
【発明の開示】
【発明が解決しようとする課題】
【００１０】
ここで、マットレスなどの寝具を洗浄するにあたって、オゾンなどで寝具を消毒・殺菌することが必要になってきている。しかし、特許文献１のものにあっても、オゾンによる殺菌を行なうことはできないものであり、マットレスなどの寝具を洗浄する際にオゾン殺菌を行なうことができるようにすることが望まれているものであった。
【００１１】
本発明は上記の点に鑑みてなされたものであり、寝具を回転フレームの内周に沿ってセットして、回転フレームを回転させながら寝具の洗浄や乾燥を行なうにあたって、オゾン殺菌を行なうことができる寝具の洗浄装置及び洗浄方法を提供することを目的とするものである。
【課題を解決するための手段】
【００１２】
本発明の請求項１に係る寝具の洗浄装置は、軸周りに回転駆動される筒かご状に形成され、内周に沿って出し入れ自在に寝具１がセットされる回転フレーム２を洗浄槽３内に配置して設けた寝具の洗浄装置において、回転フレーム２を回転駆動しながら回転フレーム２の内側から寝具１に洗浄水を供給して寝具１を洗浄する洗浄手段と、寝具１を洗浄した後に回転フレーム２を回転駆動して寝具１を脱水する脱水手段と、回転フレーム２を回転駆動しながらオゾンを洗浄槽３内に供給して寝具１をオゾン殺菌するオゾン供給手段と、寝具１をオゾン殺菌した後に、回転フレーム２を回転駆動しながら温風を寝具１に吹き当てて寝具１を乾燥する乾燥手段とを具備して成ることを特徴とするものである。
【００１３】
この発明によれば、寝具１を回転フレーム２の内周に沿ってセットした状態で、回転フレーム２を回転させながら寝具１の洗浄から乾燥までを連続して行なうことができ、少ない水量で寝具１を洗浄できると共に寝具１を傷めることなく洗浄から乾燥までを行なうことができるものであり、また乾燥を効率良く行なうことができるものである。そして、オゾン供給手段によるオゾンの供給によって、寝具１をオゾン殺菌することができるものであり、しかも、回転フレーム２の回転によって、オゾンは遠心力や回転による衝突で寝具１の内部へ浸透し、寝具１の内部まで効率良く均一に殺菌することができるものである。さらに、このオゾン殺菌の後に行なわれる乾燥の際の温風の作用でオゾンを分解して無毒化することができ、寝具１の取り出し時に有害なオゾンが洗浄槽３から放出されることを防ぐことができるものである。
【００１４】
また請求項２の発明は、請求項１において、脱水手段で寝具１を脱水する工程の途中から、オゾン供給手段によってオゾンの供給を開始するようにして成ることを特徴とするものである。
【００１５】
本発明によれば、寝具１中の水分の大半が脱水され、寝具１中に残った水分が回転フレーム２の回転に伴なってミストとして放出される脱水工程の途中で、オゾンによる殺菌を開始することによって、洗浄槽３内の湿度がミストによって高く保持された状態でオゾンによる殺菌を行なうことができ、オゾン殺菌の効果を高く得ることができるものである。
【００１６】
また請求項３の発明は、請求項１又は２において、回転フレーム２の中心にパイプ状の支持軸４を配置して設けると共に回転フレーム２を支持軸４の周りに回転自在に取り付け、支持軸４内を仕切って洗浄水供給路５と温風供給路６を形成し、洗浄水供給路５を通して洗浄水を洗浄水供給手段で寝具１に供給すると共に、温風供給路６を通して温風を乾燥手段で寝具１に供給するようにして成ることを特徴とするものである。
【００１７】
この発明によれば、回転フレーム２を支持する支持軸４を利用して、洗浄水と温風をそれぞれ供給することができ、回転フレーム２内に洗浄水や温風を供給するための配管を別途設ける必要がなくなって、構造を簡単なものに形成することができるものである。
【００１８】
また請求項４の発明は、請求項１乃至３のいずれかにおいて、オゾンを洗浄槽３内に供給するオゾン供給手段のオゾン吹出し口７に、オゾンを洗浄槽３内に供給している間、オゾン吹出し口７を開くと共に、洗浄手段が作動している間及び乾燥手段が作動している間、オゾン吹出し口７を閉じる開閉シャッター８を設けて成ることを特徴とするものである。
【００１９】
この発明によれば、洗浄水やその湿気がオゾン吹出し口７から侵入したり、乾燥の際の熱気がオゾン吹出し口７から侵入したりすることを開閉シャッター８で防ぐことができ、オゾン供給手段がこれらの悪影響を受けることを防止することができるものである。
【００２０】
また請求項５の発明は、請求項１乃至４のいずれかにおいて、洗浄槽３に排気ダクト９を設け、乾燥手段が作動している間、作動する換気ファン１０を排気ダクト９に設けて成ることを特徴とするものである。
【００２１】
この発明によれば、洗浄槽３内の湿気を排気ダクト９から排出しながら乾燥を行なうことができ、寝具１の乾燥効率を高めることができるものである。
【００２２】
また請求項６の発明は、請求項１乃至５のいずれかにおいて、洗浄槽３内のオゾン濃度を測定する手段を具備して成ることを特徴とするものである。
【００２３】
この発明によれば、オゾン濃度の測定によって、オゾン殺菌の程度を確認することができるものである。
【００２４】
また請求項７の発明は、請求項６において、オゾン濃度を測定する手段を、洗浄槽３内の空気を吸気口１２から吸気してオゾン濃度を自動測定した後に洗浄槽３内に排気口１３から空気を返送して排気するオゾン濃度測定器１１で形成し、オゾン供給手段が作動している間、開くと共に、それ以外は閉じる、吸気弁１４を吸気口１２に、排気弁１５を排気口１３にそれぞれ備えて成ることを特徴とするものである。
【００２５】
この発明によれば、洗浄水やその湿気がオゾン濃度測定器１１内に侵入したり、乾燥の際の熱気がオゾン濃度測定器１１内に侵入したりすることを吸気弁１４や排気弁１５で防ぐことができ、オゾン濃度測定器１１がこれらの悪影響を受けることを防止することができるものである。
【００２６】
また請求項８の発明は、請求項１乃至７のいずれかにおいて、洗浄槽３へのオゾンの供給状況を報知する表示機１６を具備して成ることを特徴とするものである。
【００２７】
この発明によれば、オゾンの供給状況を確認して、寝具１を洗浄槽３から取り出す時期を知ることができるものである。
【００２８】
本発明の請求項９に係る寝具の洗浄方法は、軸周りに回転駆動される筒かご状に形成された回転フレーム２を洗浄槽３内に配置して設け、回転フレーム２の内周に沿って出し入れ自在に寝具１をセットして、回転フレーム２を回転駆動しながら回転フレーム２の内側から寝具１に洗浄水を供給して寝具１を洗浄し、寝具１を洗浄した後に、回転フレーム２を回転駆動することによって寝具１の脱水を行ない、次に回転フレーム２を回転駆動しながらオゾンを洗浄槽３内に供給して寝具１をオゾン殺菌し、寝具１をオゾン殺菌した後に、回転フレーム２を回転駆動しながら温風を寝具１に吹き当てて寝具１を乾燥することを特徴とするものである。
【００２９】
この発明によれば、寝具１を回転フレーム２の内周に沿ってセットした状態で、回転フレーム２を回転させながら寝具１の洗浄から乾燥までを連続して行なうことができ、少ない水量で寝具１を洗浄できると共に寝具１を傷めることなく洗浄から乾燥までを行なうことができるものであり、また乾燥を効率良く行なうことができるものである。そして、寝具１をオゾン殺菌することができるものであり、しかも、回転フレーム２の回転によって、オゾンは遠心力や回転による衝突で寝具１の内部へ浸透し易く、寝具１の内部まで効率良く均一に殺菌することができるものである。さらに、このオゾン殺菌の後に行なわれる乾燥の際の温風の作用でオゾンを分解して無毒化することができ、寝具１の取り出し時に有害なオゾンが洗浄槽３から放出されることを防ぐことができるものである。
【００３０】
また請求項１０の発明は、請求項９において、回転フレーム２を回転駆動して寝具１を脱水する工程の途中から、オゾンを洗浄槽３内に供給して寝具１のオゾン殺菌をすることを特徴とするものである。
【００３１】
この発明によれば、寝具１中の水分の大半が脱水され、寝具１中に残った水分が回転フレーム２の回転に伴なってミストとして放出される脱水工程の途中で、オゾンによる殺菌を開始することによって、洗浄槽３内の湿度がミストによって高く保持された状態でオゾンによる殺菌を行なうことができ、オゾン殺菌の効果を高く得ることができるものである。
【００３２】
また請求項１１の発明は、請求項１０において、脱水の工程での回転フレーム２の回転速度を、オゾンを洗浄槽３内に供給する際に高めることを特徴とするものである。
【００３３】
この発明によれば、回転フレーム２の回転速度を高めることによって、寝具１中に残った水分がミストとして放出され易くなり、オゾン殺菌の効果を高く得ることができるものである。
【００３４】
また請求項１２の発明は、請求項９乃至１１のいずれかにおいて、オゾンを洗浄槽３内に供給して寝具１をオゾン殺菌した後、温風を寝具１に吹き当てて寝具１を乾燥するにあたって、洗浄槽３内へのオゾンの供給を停止すると共に温風を寝具１に吹き当て始めてから、所定時間経過した後、洗浄槽３に設けた排気ダクト９の換気ファン１０を作動させることを特徴とするものである。
【００３５】
この発明によれば、排気ダクト９の換気ファン１０を作動させながら乾燥を行なうことによって、洗浄槽３内の湿気を排気ダクト９から排出しながら乾燥を行なうことができ、効率良く寝具１の乾燥を行なうことができるものである。また洗浄槽３内のオゾンは温風の作用で分解されるが、換気ファン１０は温風を寝具１に吹き当て始めてから所定時間経過した後に作動するため、温風の吹き当て開始の後しばらくは未分解のオゾンが洗浄槽３内に残留していても、換気ファン１０の作動で外部に放出されることを防ぐことができるものである。
【発明の効果】
【００３６】
本発明によれば、寝具１を回転フレーム２の内周に沿ってセットした状態で、回転フレーム２を回転させながら寝具１の洗浄から乾燥までを連続して行なうことができ、少ない水量で寝具１を洗浄できると共に寝具１を傷めることなく洗浄から乾燥までを行なうことができるものであり、また乾燥を効率良く行なうことができるものである。そして、寝具１をオゾン殺菌することができるものであり、しかも、回転フレーム２の回転によって、オゾンは遠心力や回転による衝突で寝具１の内部へ浸透し、寝具１の内部まで効率良く均一に殺菌することができるものである。さらに、このオゾン殺菌の後に行なわれる乾燥の際の温風の作用でオゾンを分解して無毒化することができ、寝具１の取り出し時に有害なオゾンが洗浄槽３から放出されることを防ぐことができるものである。
【発明を実施するための最良の形態】
【００３７】
以下、本発明を実施するための最良の形態を説明する。
【００３８】
図４は本発明の洗浄装置の全体を示すものであり、洗浄槽３の両側に器械ケーシング３５，３６が設けてある。洗浄槽３の前面の中央部は開口部３７として形成してあり、開口部３７には上下にスライドさせることによって開口部３７を開閉する扉３８が取り付けてある。
【００３９】
洗浄槽３内には図１〜図３及び図５に示すような回転フレーム２が設けてある。尚、図１，２は回転フレーム２内に寝具１を挿入する準備段階を示しているものである。回転フレーム２は、両側の円環状の側枠４０の間に掛け渡して横枠４１を所定間隔で複数本取り付けると共に、各横枠４１間に渡して複数本の細枠４２を側枠４０と平行に取り付けることによって形成される円筒形の筒かご体４３からなるものである。そして軸リング４４の外周に複数本の支持棒４５を放射状に取り付けると共に、この各支持棒４５の先端を側枠４０の内周に取り付けることによって、筒かご体４３を支持棒４５を介して軸リング４４で支持して、回転フレーム２を形成するようにしてある。
【００４０】
回転フレーム２の筒かご体４３の一部には、横枠４１や細枠４２を設けていない部分が図５のように形成してあり、この開口部分が回転フレーム２内に寝具１を出し入れする出入口４６となるものである。筒かご体４３の外側にはその周方向にスライド自在に格子状の開閉扉５１が取り付けてあり、開閉扉５１で出入口４６を開閉することができるようにしてある。
【００４１】
また筒かご体４３の内側には、筒かご体４３と平行に複数本のガイド棒４７が取り付けてある。このガイド棒４７は、両側の側枠４０に取り付けた対向する支持棒４５の間に架設した網板４８や、他の対向する支持棒４５の間に架設した連結棒４９に固定することによって、筒かご体４３の内側に取り付けるようにしてある。ガイド棒４７と筒かご体４３の内周との間に寝具１を差し込むことによって、寝具１を回転フレーム２の内周に沿わせた状態に保持してセットすることができるものである。
【００４２】
支持台５３は図１、図２に示すように両側に側支持枠５４を設けて上向き開口のコ字形に形成されるものであり、支持台５３は洗浄槽３内に収められるようになっている。この支持台５３の両側の側支持枠５４の上部間に支持軸４を水平に架け渡して固定して取り付けてある。支持軸４は円筒パイプ状に形成されるものであり、この支持軸４の外周に回転フレーム２の左右一対の軸リング４４を回転自在に取り付けることによって、回転フレーム２を洗浄槽３内に配置してある。そして左右一対の軸リング４４のうち一方には従動プーリ５５が固定してあり、支持軸４の下方において支持台５３に取り付けたモータ５６の原動プーリ５７とこの従動プーリ５５の間にベルト５８が懸架してある。従って、モータ５６を作動させて原動プーリ５７を回転することによって、ベルト５８を介して従動プーリ５５を回転させ、回転フレーム２を支持軸４を回転中心として上下方向に回転駆動することができるものである。
【００４３】
上記の円筒パイプ状に形成される支持軸４内は、図５に示すように、支持軸４の全長に亘る仕切り板６０によって上下に仕切ってあり、支持軸４内の仕切り板６０の下側は洗浄水供給路５、上側は温風供給路６として形成してある。
【００４４】
そして洗浄水供給路５の部分において支持軸４の下部に、軸方向に沿った複数個所に散水口６１が形成してあり、また図６に示すように、支持軸４の一端部において洗浄水供給路５の部分に洗浄水供給管６２が接続してある。洗浄水供給管６２は電磁弁６３を介して水道管６４と接続してあり、またこの洗浄水供給管６２には一対の分岐管６５，６６が接続してあって、各分岐管６５，６６はそれぞれ、ポンプ６７，６８を介して洗剤タンク６９と殺菌剤タンク７０に接続してある。これらの、洗浄水供給路５、散水口６１、洗浄水供給管６２、電磁弁６３、水道管６４、分岐管６５，６６、ポンプ６７，６８、洗剤タンク６９、殺菌剤タンク７０などから、本発明の洗浄手段が形成されるものである。
【００４５】
また、支持軸４の上部に図５のように温風供給路６内と連通する一対の温風供給管７３が、図３に示すように上方へ立設してあり、この一対の温風供給管７３の上端間に架け渡して内側温風吹出しノズル７４が取り付けてある。内側温風吹出しノズル７４は回転フレーム２の内側において、回転フレーム２に軸方向の略全長に沿って配置されるものである。この内側温風吹出しノズル７４内は温風供給管７３内と連通させてあり、内側温風吹出しノズル７４の上端に沿ってノズル孔７５が図５のように開口してある。器械ケーシング３５内には電気温風機７６が設置してあり、電気温風機７６から温風配管７７が導出してある。そしてこの温風配管７７から分岐した分岐温風配管７８の先端が、支持軸４の上記の洗浄水供給管６２と接続した側と反対側の端部において、支持軸４内の温風供給路６に接続してある。
【００４６】
また回転フレーム２の外側において、図１、図２に示すように、回転フレーム２の軸方向の略全長に沿って外側温風吹出しノズル７９が配置してある。そして電気温風機７６から導出される上記の温風配管７７は図２のように回転フレーム２の側方に沿って立ち上げてあり、温風配管７７の先端が外側温風出しノズル７９の一端に接続してある。この外側温風吹出しノズル７９内は温風配管７７内と連通させてあり、外側温風吹出しノズル７９の下端に沿ってノズル孔（図示省略）が開口してある。上記の電気温風機７６、温風配管７７、分岐温風配管７８、温風供給路６、温風供給管７３、内側温風吹出しノズル７４、外側温風吹出しノズル７９等から本発明の乾燥手段が形成されるものである。
【００４７】
器械ケーシング３６内にはオゾン発生器８５とエアーポンプ８６が設置してある。オゾン発生器８５にはオゾン吹出し口７が導出して設けてあり、図７のように洗浄槽３と器械ケーシング３６の間の壁８７を通してオゾン吹出し口７の先端部を洗浄槽３内に導入し、オゾン吹き出し口７の先端を図１、図３のように回転フレーム２の側方に対向させて配置してある。オゾン発生器８５で発生したオゾンガスは、エアーポンプ８６から供給されるエアーによって、オゾン吹出し口７を通して洗浄槽３内に吹出されるようになっているものである。このオゾン吹出し口７内には図７に示すように開閉シャッター８が設けてあり、オゾン吹出し口７を開閉することができるようにしてある。このオゾン発生器８５、エアーポンプ８６、オゾン吹出し口７等から本発明のオゾン供給手段が形成されるものである。
【００４８】
さらに器械ケーシング３６内には、オゾン濃度を測定する手段として図８に示すようにオゾン濃度測定器１１が設置してある。オゾン濃度測定器１１に設けた吸気口１２と排気口１３を壁８７を通して洗浄槽３内に開口させて取り付けるようにしてあり、オゾン濃度測定器１１に内蔵したポンプを作動させて、洗浄槽３内の空気を吸気口１２からオゾン測定器１１に吸気し、オゾン濃度を測定した後に、排気口１３から洗浄槽３に返送して排気するようにしてある。オゾン濃度測定器１１は、例えば、オゾンによる紫外線の吸収量を検知してオゾン濃度を測定するようにした紫外線吸収式のオゾンガスモニタなどで形成される検出部を内蔵して形成されるものである。また上記の吸気口１２と排気口１３内にはそれぞれ吸気弁１４と排気弁１５がそれぞれ設けてあり、吸気口１２や排気口１３を開閉することができるようにしてある。
【００４９】
また、洗浄槽３には図９（ａ）のように排気ダクト９が接続してあり、排気ダクト９を通して洗浄槽３内の空気を外部に排出することができるようにしてある。排気ダクト９内には排気ファン１０が設けてあり、さらに、排気ファン１０より洗浄槽３寄りの位置において排気ダクト９内に開閉シャッター８１が設けてある。排気ファン１０は洗浄槽３の外面に設けた受け具１２５に防振ゴム１２６によって支持するようにしてある。さらに洗浄槽３には図９（ｂ）のように吸気ダクト８２が接続してあり、洗浄槽３内の空気を排気ダクト９で排出する際に、洗浄装置を設置した室内の外気が吸気ダクト８２から洗浄槽３内に吸気されるようにしてある。この吸気ダクト８２には、洗浄槽３内の空気が排気ダクト９で排出される際に開き、それ以外は閉じる、吸気弁８３が設けてある。これらの排気ダクト９や吸気ダクト８２の先端は装置の外殻ケーシング８４を通して装置外面に露出させてある。
【００５０】
また、洗浄槽３あるいは器械ケーシング３５，３６の外面には、表示機１６が図４のように取り付けてあり、洗浄槽３内へのオゾンの供給状況を報知するようにしてある。表示機１６は、例えば赤ランプ１６ａ、黄ランプ１６ｂ、緑ランプ１６ｃから形成されており、各ランプ１６ａ，１６ｂ，１６ｃの点灯によってオゾンの供給状況を報知するようにしてある。
【００５１】
図１０は本発明の洗浄装置の制御系を示すものであり、洗浄機制御器８８で、回転フレーム２を回転駆動するモータ５６、洗浄水供給管６２の電磁弁６３、ポンプ６７，６８（これらを洗浄機動作部８９という）と、電気温風機７６と、吸気ダクト８２を制御するようにしてある。またオゾン発生制御器９０でオゾン濃度測定器１１、オゾン発生器８５、エアーポンプ８６、排気ダクト９の換気ファン１０及び開閉シャッター８１を制御するようにしてある。オゾン発生制御器９０にはデーターロガー９１とレコーダー９２が接続してあり、データーロガー９１でオゾン濃度のデータをメモリーしてパソコンへ出力し、レコーダー９２でオゾン濃度データを記録紙に出力することができるようにしてある。
【００５２】
図１１はオゾン発生制御器９０、オゾン濃度測定器１１、オゾン発生器８５、エアーポンプ８６を制御操作するオゾンガス制御盤９４を示すものであり、９５は電源スイッチ、９６はオゾン発生を自動で行なう場合の切り替えスイッチ、９７はオゾン発生を手動で行なう場合の切り替えスイッチ、９８はオゾン発生を手動で行なう場合のオゾン発生オンスイッチ、９９はオゾン発生を手動で行なう場合のオゾン発生の時間を設定するタイマーダイヤル、１００はオゾン発生を自動で行なうか手動で行なうかを表示する表示ランプである。尚、上記の表示機１６は図１１のようにオゾンガス制御盤９４に設けるようにしてもよい。
【００５３】
次に、本発明の洗浄装置を用いて、マットレスなどの寝具１を洗浄する動作について説明する。まず、洗浄槽３の扉３８を押し上げて図４のように開口部３７を開口させ、この開口部３７に回転フレーム２の出入口４６を合致させた状態で、開閉扉５１をスライドさせて出入口４６を開き、出入口４６から回転フレーム２内に寝具１をセットする。このとき、回転フレーム２の筒かご体４３の内周とガイド棒４７との間に寝具１を差し込むことによって、寝具１を回転フレーム２の内周に沿わせた状態に固定してセットすることができるものである。寝具１は、例えば、２枚を回転フレーム２内にセットすることができるようにしてある。この後、開閉扉５１をスライドさせて回転フレーム２の出入口４６を閉じ、扉３８を引き下げて洗浄槽３の開口部３７を閉じる。
【００５４】
この状態で、洗浄機制御器８８やオゾン発生制御器９０を作動させると、回転フレーム２が回転駆動され、洗浄とすすぎからなる洗浄工程、脱水工程、オゾン殺菌工程、乾燥工程が連続して自動的に行なわれる。図１２はこれらの工程のタイムチャートを示すものであり、例えば、洗浄を２分、すすぎを６分行なって洗浄工程がおこなわれ、続いて脱水を７５分行なって脱水工程がおこなわれる。また脱水開始より２５分が経過した脱水工程の途中から、脱水工程と並行してオゾン殺菌工程が５０分行なわれ、この後に乾燥工程が４０分、行なわれるようにしてある。また回転フレーム２の回転速度は、洗浄の際には９０ｒｐｍ、すすぎの際にはやや回転速度を上げて１８０ｒｐｍに設定し、脱水の際には回転速度を２４０ｒｐｍにさらに上げ、オゾン殺菌の際にはさらに高速回転で２６０ｒｐｍに設定し、乾燥の際には速度を下げて１０２ｒｐｍに設定するようにしてある。勿論、各工程の時間や、回転フレーム２の回転速度はこれらに限定されるものではない。
【００５５】
ここで、洗浄の際には、電磁弁６３が開いて、水道管６４から水道水が洗浄水供給管６２に供給されるが、このときさらにポンプ６７，６８が作動して洗剤タンク６９から洗剤が、殺菌剤タンク７０から殺菌剤が洗浄水供給管６２に供給され、水に洗剤と殺菌剤のうち少なくとも一方が混合された状態で支持軸４の洗浄水供給路５内に供給される。そしてこの洗剤入りの洗浄水は回転フレーム２内において支持軸４の散水口６１から下方へ散水されるものであり、回転フレーム２の回転に伴って、回転フレーム２の内周にセットされた寝具１の全面に均一に洗剤入りの洗浄水を供給することができる。また、回転フレーム２によって寝具１は回転されているので、寝具１の内周側に供給された洗剤入りの洗浄水は、遠心力によって、寝具１の内面側から内部に浸透して外面側に抜けることになり、洗浄水を寝具１の内部に効率高く浸透させることができ、寝具１の洗浄を効率良く行なうことができるものである。
【００５６】
次に、すすぎの際には、ポンプ６７，６８の作動が停止し、洗剤と殺菌剤が混合されていないすすぎ用の洗浄水が洗浄水供給管６２に供給され、このすすぎ用の洗浄水が散水口６１から散水される。このときも、回転フレーム２の回転に伴って、回転フレーム２の内周にセットされた寝具１の全面に均一にすすぎ用の洗浄水を供給することができるものであり、また、回転フレーム２の回転による遠心力によって、すすぎ用の洗浄水は寝具１の内面側から内部を浸透して外面側に抜けるものであり、すすぎ用洗浄水を寝具１の内部に効率高く浸透させることができ、寝具１のすすぎ洗いを効率良く行なうことができるものである。
【００５７】
すすぎ洗いが終わると、電磁弁６３が閉じ、洗浄水の供給が停止される。そして回転速度を上げて回転フレーム２を回転させることによって、遠心力で寝具１内の洗浄水を脱水する遠心脱水が行なわれる。本発明において脱水手段は、回転フレーム２と、回転フレーム２を回転駆動させるモータ５６等から形成されるものである。そして、脱水の際には図１２のタイムチャートのように、排気ダクト９の開閉シャッター８１が開くと共に換気ファン１０が作動し、洗浄槽３内の湿気を排気ダクト９を通して排出することによって、脱水が効率良くおこなわれるようにしてある。このように洗浄槽３内の湿気を排気ダクト９から排出する際には、吸気ダクト８２の吸気弁８３は開いている。
【００５８】
このように回転フレーム２を回転駆動させて寝具１内の洗浄水を脱水する脱水工程の途中で、オゾン殺菌の工程が始まるようになっている。オゾン殺菌の工程が始まると、排気ダクト９の開閉シャッター８１が閉じると共に換気ファン１０は停止する。
【００５９】
オゾン殺菌の工程では、図１２のタイムチャートのようにオゾン発生器８５とエアーポンプ８６が作動し、またオゾン吹出し口７の開閉シャッター８が開き、オゾン発生器８５で発生したオゾンガスがオゾン吹出し口７から洗浄槽３内に吹出される。このようにオゾンを洗浄槽３に供給することによって、寝具１をオゾン殺菌することができるものである。このオゾン殺菌は、回転フレーム２を回転駆動しながら行なわれるので、オゾンは遠心力及び回転による衝突で寝具１の内部へ浸透し易いものであり、寝具１の内部まで効率良く均一に殺菌することができるものである。このとき、オゾン吹出し口７の開閉シャッター８はオゾン殺菌の工程でオゾン発生器８５を作動させるときのみ開き、それ以外の洗浄工程や乾燥工程では閉じているものであり、洗浄水や、湿気などがオゾン吹出し口７からオゾン発生器８５に侵入することを防止して、オゾン発生器８５がこれらによって悪影響を受けることを防ぐようにしてある。
【００６０】
ここで、オゾンガスを殺菌に用いる場合、乾燥した雰囲気では殺菌効果が低く、湿度の高い状態で殺菌効果が高く得られることが知られている。これは、オゾンガスそのものが殺菌力を持つのではなく、オゾンガスが水と接触して反応することによって発生期の酸素やＯＨラジカルが生成され、この発生期の酸素やＯＨラジカルが有する強い酸化力の作用で殺菌がなされるからである。従って、湿度が高く水分が多い雰囲気においてオゾン殺菌の効果を高く得ることができるものである。例えば、相対湿度４５％ＲＨ以下の乾燥した雰囲気ではオゾンによる殺菌効果は小さく、８０％ＲＨ以上の湿度の高い雰囲気においてオゾンによる殺菌効果を高く得ることができるものである。表１は、オゾン殺菌効果に対するオゾン濃度と湿度との関係を示すものである（「新版オゾン利用の新技術」、サンユー書房、第１２章「医療におけるオゾンの利用方法」（村山良介）第４５９頁所載のデータを加工した）。表１にみられるように、１５分間のオゾン照射で減菌率９９．９９９％を得るためには、相対湿度が３０％の場合、オゾン濃度は３０〜８０ｐｐｍが必要であり、オゾン濃度とオゾンに曝す時間との積であるオゾンＣＴ値は４５０〜１２００（ｐｐｍ・ｍｉｎ）であるが、相対湿度が８０％であると、オゾン濃度は２５ｐｐｍでよく、オゾンＣＴ値は３７５（ｐｐｍ・ｍｉｎ）で済む。
【００６１】
【表１】
2008036413.tif 000003
【００６２】
このように、オゾン殺菌の工程で、寝具１を効果的にオゾン殺菌するためには、洗浄槽３内の湿度が高いことが必要である。そこで本発明では、洗浄槽３内の湿度が高くなっている脱水工程の途中でオゾンガスの供給を開始し、脱水工程と並行してオゾン殺菌工程を行なうようにしているのである。ここで、脱水工程の初期では、寝具１内に大量の水が含まれており、オゾンを寝具１の内部に浸透させることができないので、寝具１の含水率が１０〜２０質量％になるまで脱水を進行させた後に、オゾンの供給を開始するようにしてある。図１２の実施の形態では寝具１の含水率が１０〜２０質量％になるのは、脱水開始後約２５分である。そして寝具１の含水率をこのように低下させた状態で回転フレーム２を回転駆動して脱水を継続すると、寝具１中に残存する水分は遠心力でミストとして放出され、このミストが洗浄槽３内に充満して洗浄槽３内は８０％以上の相対湿度に保たれる。特に本発明では、オゾンの供給の開始と同時に回転フレーム２の回転速度を、１０〜４０ｒｐｍ（好ましくは２０ｒｐｍ程度）高めて、含水率が小さくなった寝具１から高い遠心力でミストが効率良く放出されるようにしてある。このようにして、洗浄槽３内の湿度をミストで高い状態保持しつつ、オゾンを供給して寝具１を高い殺菌効果でオゾン殺菌することができるものである。
【００６３】
また、図１２のタイムチャートのようにオゾン濃度測定器１１は洗浄装置の運転中、常時動作しているが、オゾン濃度測定器１１の吸気口１２に設けられる吸気弁１４と排気口１３に設けられる排気弁１５はオゾン発生器８５の作動と連動して作動し、オゾン発生器８５が作動している間だけ、吸気弁１４や排気弁１５は開き、それ以外の洗浄工程や乾燥工程では閉じている。従って、オゾン発生器８５から洗浄槽３にオゾンを供給してオゾン殺菌している間、洗浄槽３内の空気を吸気口１２からオゾン濃度測定器１１に吸気して排気口１３から返送し、洗浄槽３内のオゾン濃度が測定される。また吸気弁１４や排気弁１５は洗浄工程や乾燥工程では閉じているので、洗浄水や、湿気などが吸気口１２や排気口１３からオゾン濃度測定器１１内に侵入することを防止することができ、オゾン濃度測定器１１がこれらによって悪影響を受けることを防ぐことができるものである。
【００６４】
ここで、オゾン殺菌の程度は、オゾン濃度とオゾンに曝す時間との積であるオゾンＣＴ値で確認することができるものであり、このようにオゾン濃度測定器１１で洗浄槽３内のオゾン濃度を測定することによって、寝具１のオゾン殺菌の程度を確認することができるものである。また、オゾン発生器８５から洗浄槽３へのオゾンの供給は、タイマー等の時間制御でコントロールするだけでなく、オゾン濃度測定器１１で測定されたオゾン濃度出力値から求められるオゾンＣＴ値が予め設定された値に達した時点で、自動的に停止するように制御することもできるものである。
【００６５】
脱水工程と並行したオゾン殺菌工程が終わると、図１２のタイムチャートのように、オゾン発生器８５の作動が停止すると共に、電気温風機７６が作動し、電気温風機７６のヒータで加熱された温風がファンで温風配管７７に送り出される。この温風は温風配管７７から分岐温風配管７８、支持軸４内の温風供給路６、温風供給管７３を通して回転フレーム２の内側に配置された内側温風吹出しノズル７４に供給され、回転フレーム２の内周にセットされた寝具１の内側に近接して対向する内側温風吹出しノズル７４から温風が吹き当てられる。また温風は温風配管７７から回転フレーム２の外側に配置された外側温風吹出しノズル７９に供給され、回転フレーム２の内周にセットされた寝具１の外側に近接して対向する外側温風吹出しノズル７９から温風が吹き当てられる。乾燥工程では、このように寝具１の両面から温風が吹き当てられるものであり、また回転フレーム２の回転に伴って寝具１の全面に均一に温風が吹き当てられるので、寝具１の乾燥を効率良く均一に行なうことができるものである。
【００６６】
またこの乾燥工程の際には、図１２のタイムチャートのように排気ダクト９の開閉シャッター８１が開くと共に換気ファン１０が作動し、洗浄槽３内の湿気を排気ダクト９を通して排出することによって、乾燥が効率良くおこなわれるようにしてある。ここで、図１２のフローチャートに示すように、電気温風機７６が作動してから、所定時間（例えば３分間）を経過した後に、換気ファン１０が作動するようにしてある。電気温風機７６から内側温風吹き出しノズル７４や外側温風吹き出しノズル７７を通して洗浄槽３内に温風が供給されると、温風の熱で洗浄槽３内のオゾンは分解されて無害な酸素になるが、電気温風機７６の作動の初期では洗浄槽３内に分解されていないオゾンが残留している可能性が高い。このため、電気温風機７６が作動してから所定時間の間は換気ファン１０が作動しないようにして、洗浄槽３内の有害なオゾンが排気ダクト９から外部に排出されることを防ぐようにしているものである。
【００６７】
図１２のフローチャートにみられるように、オゾン発生器８５を作動させているオゾン殺菌の工程では、表示機１６の赤ランプ１６ａが点灯し、洗浄槽３にオゾンが供給されていることを表示するようにしてある。またオゾン殺菌工程の次の乾燥工程では黄ランプ１６ｂが点灯して、乾燥中であることを表示するようにしてある。さらに、乾燥工程が終了すると緑ランプ１６ｃが点灯し、洗浄槽３の扉３８を開いて寝具１を取り出すことができることを表示するようにしてある。このとき、洗浄工程から乾燥工程に到るまで、扉３８には開くことができないようにロックが掛かっているが、このように緑ランプ１６ｃが点灯すると、ロックが解除されると共に扉３８を開閉できることを報知するチャイムが鳴るようにしてある。
【００６８】
上記のようにして寝具の洗浄、脱水、オゾン殺菌、乾燥までの工程を連続して自動運転することができるものであるが、本発明の洗浄装置は、オゾン殺菌のみを行なうことができるようにしてある。
【００６９】
上記のように洗浄、脱水、オゾン殺菌、乾燥の工程を自動運転する場合には、オゾンガス制御盤９４の切り替えスイッチ９６をオンにして運転を行なうが、オゾン殺菌のみを行なう場合には、切り替えスイッチ９７をオンにして手動運転に切り替え、タイマーダイヤル９９で作動時間を設定した後に、オゾン発生オンスイッチ９８をオンにすることによって、設定した時間の間、回転フレーム２を回転駆動させながら、オゾン発生器８５を作動させて、寝具１のオゾン殺菌を行なうことができるものである。
【００７０】
この際のタイムチャートを図１３に示す。上記と同様に、オゾン濃度測定器１１は常時動作しているが、オゾン濃度測定器１１の吸気弁１４や排気弁１５はオゾン発生器８５の作動と同時に開き、洗浄槽３内のオゾン濃度を測定して寝具１のオゾン殺菌の程度を確認できるようにしてある。またオゾン発生器８５の作動が停止すると、電気温風機７６が所定時間（例えば３分間）作動し、内側温風吹き出しノズル７４や外側温風吹き出しノズル７９から洗浄槽３内に温風を供給して、温風の熱で洗浄槽３内のオゾンを無害な酸素に分解するようにしてある。オゾン発生器８５の作動が停止すると、排気ダクト９の開閉シャッター８１が開いて換気ファン１０が作動するが、電気温風機７６が作動している間の所定時間（例えば３分間）を経過した後に、換気ファン１０が作動するようにしてあり、洗浄槽３内の有害なオゾンが分解されないまま排気ダクト９から外部に排出されないようにしてある。このオゾン殺菌のみを行なう際も、運転中は洗浄槽３の扉３８にロックが掛かって開くことができないようにしてある。
【００７１】
上記の実施の形態では、オゾン濃度を測定する手段として、オゾン濃度を自動的に測定できるオゾン濃度測定器１１を用いるようにしたが、オゾン濃度測定器１１は高価な機器であるためこれに替えて、オゾンの濃度に応じて変色するオゾンインジケータ１０２を用いるようにしてもよい。
【００７２】
図１４は洗浄槽３にオゾンインジケータ１０２を取り付ける構造を示すものであり、洗浄槽３の壁１０３に設けた取付孔１０４に受け筒１０５が装着してある。受け筒１０５は両端開口の筒部１０６の一端の外周にフランジ１０７を設けて形成されるものであり、図１４（ａ）のようにフランジ１０７に通したボルトナット１０８で壁１０３に固定してある。オゾンインジケータ１０２はインジケータ保持具１０９にセットして、受け筒１０５に取り付けられるものである。インジケータ保持具１０９は図１４（ｂ）（ｃ）のように、一端が開口する保持筒１１０の他端を塞ぐと共に保持筒１１０の外周に張り出す取付板１１１を設け、保持筒１１０内に一対のコ字形の差込片１１２を小間隙で対向するように取り付けて形成してある。差込片１１２間の小間隙にオゾンインジケータ１０２を差し込むことによって、オゾンインジケータ１０２をインジケータ保持具１０９にセットすることができるものであり、シリコンゴムなどのパッキン１１３を差込片１１２間に挿入してオゾンインジケータ１０２を位置決め固定できるようにしてある。そして図１４（ｄ）のように、受け筒１０５の筒部１０６内にインジケータ保持具１０９の保持筒１１０を差し込んで、取付板１１１をフランジ１０７の外面にシリコンゴムなどのパッキン１２０を介して重ね、取付板１１１に通した蝶ネジ１２１をフランジ１０７にねじ込むことによって、インジケータ保持具１０９を取り付けることができるものであり、オゾンインジケータ１０２はインジケータ保持具１０９の保持筒１１０の開口部を通して洗浄槽３内の空気に接触するようにしてある。
【００７３】
そして、オゾン発生器８５から洗浄槽３内にオゾンが供給されると、オゾンがインジケータ保持具１０９内のオゾンインジケータ１０２に作用する。オゾンインジケータ１０２はオゾンの作用で脱色されるように変色し、この変色はオゾン濃度が高くなるに従って大きくなると共に、オゾンに曝される時間が長くなるに従って大きくなる。従って、インジケータ保持具１０９を取り外して、オゾンインジケータ１０２を取り出し、オゾンインジケータの変色の進行を読み取ることによって、オゾンＣＴ値を検出することができ、オゾン殺菌の程度を確認することができるものである。
【図面の簡単な説明】
【００７４】
【図１】本発明の実施の形態の一例の一部を示す斜視図である。
【図２】同上の一部を示す斜視図である。
【図３】同上の一部を示す斜視図である。
【図４】同上の概略正面図である。
【図５】同上の回転フレームの部分の断面図である。
【図６】同上の一部を示す概略図である。
【図７】同上の一部を示す概略図である。
【図８】同上の一部を示す概略図である。
【図９】同上の一部を示すものであり、（ａ）（ｂ）はそれぞれ概略図である。
【図１０】同上の制御系を示すブロック図である。
【図１１】同上の一部の正面図である。
【図１２】同上の動作を示すタイムチャートである。
【図１３】同上の動作を示すタイムチャートである。
【図１４】同上の一部を示すものであり、（ａ）は断面図、（ｂ）正面図、（ｃ）は背面図、（ｄ）は断面図である。
【図１５】従来例を示すものであり、（ａ）（ｂ）はそれぞれ概略図である。
【図１６】他の従来例を示すものであり、（ａ）（ｂ）はそれぞれ概略図である。
【図１７】他の従来例を示す斜視図である。
【符号の説明】
【００７５】
１  寝具
２  回転フレーム
３  洗浄槽
４  支持軸
５  洗浄水供給路
６  温風供給路
７  オゾン吹出し口
８  開閉シャッター
９  排気ダクト
１０  換気ファン
１１  オゾン濃度測定器
１２  吸気口
１３  排気口
１４  吸気弁
１５  排気弁
１６  表示機
【図１】
2008036413.tif 000004
【図２】
2008036413.tif 000005
【図３】
2008036413.tif 000006
【図４】
2008036413.tif 000007
【図５】
2008036413.tif 000008
【図６】
2008036413.tif 000009
【図７】
2008036413.tif 000010
【図８】
2008036413.tif 000011
【図９】
2008036413.tif 000012
【図１０】
2008036413.tif 000013
【図１１】
2008036413.tif 000014
【図１２】
2008036413.tif 000015
【図１３】
2008036413.tif 000016
【図１４】
2008036413.tif 000017
【図１５】
2008036413.tif 000018
【図１６】
2008036413.tif 000019
【図１７】
2008036413.tif 000020